(57)【要約】　　　（修正有）【課題】オートバイもしくは電動式自転車を使用する警備手段により、建物や住宅から機械や配線等によるセンサーを取り除き、汎用の携帯電話機を常時携帯させ、警備コストを下げて、非常事態の対応を迅速且つ合理的に遂行することを助ける警備システムを提供することである。【解決手段】オートバイもしくは電動式自転車にカーナビゲーションシステムを搭載して待機中や巡回中等の警備員に配備して、警備契約者等と警備員の両者間が汎用の携帯電話機（ＧＰＳ「全地球測位システム」を活用した商用機能Ｉモード等）を、お互いが常時携帯して、連絡が簡単操作で交信できるため住宅もしくは外出先等にいち早く到着でき、迅速且つ合理的に警備が遂行できる。又、基地局側等である場所に緊急通報依頼が入った場合も同様である。また後部に警備契約者等の改良車椅子（安全左右交差ベルト着用車輪脱着型等）に乗ったままの状態で連結でき、移動できる。【選択図】図１
2004038916.tif 000002
【特許請求の範囲】
【請求項１】
オートバイもしくは電動式自転車にカーナビゲーションシステムを搭載して待機中や巡回中等の警備員に対して、基地局側等である場所に警備契約者等が常時携帯する汎用の携帯電話機（ＧＰＳ「全地球測位システム」を活用した商用機能Ｉモード等）の商用機能からの緊急通報依頼が入ることにより、基地局側等の指令を受けた待機中や巡回中等の警備員が契約者等の住宅もしくは外出先等にいち早く到着でき、非常事態の対応を迅速且つ合理的に遂行できるオートバイもしくは電動式自転車による救援救護活動警備システムである。
【請求項２】
オートバイもしくは電動式自転車にカーナビゲーションシステムを搭載して待機中や巡回中等の警備員に対して、基地局側等である場所に警備契約者等が常時携帯する汎用の携帯電話機（ＧＰＳ「全地球測位システム」を活用した商用機能Ｉモード等）の商用機能からの緊急通報依頼が入ることにより、基地局側等の指令を受けた待機中や巡回中等の警備員が契約者等の住宅もしくは外出先等にいち早く到着するため、カーナビ機能と汎用の携帯電話機（ＧＰＳ「全地球測位システム」を活用した商用機能Ｉモード等）のタウンページ等の商用機能を活用して、目的地までの道案内地図と音声による道案内等を基に契約者等に対して、基地局側等の指令を受けた警備員が迅速且つ合理的な警備が遂行できる（請求項１）に掲載のオートバイもしくは電動式自転車による救援救護活動警備システムである。
【請求項３】
オートバイもしくは電動式自転車を待機中や巡回中等の警備員に配備して、汎用の携帯電話機（ＧＰＳ「全地球測位システム」を活用した商用機能Ｉモード等）を携帯させ、基地局側等である場所に警備契約者等からの緊急通報依頼が入ることにより、基地局側等が警備員に携帯させた汎用の携帯電話機（ＧＰＳ「全地球測位システム」を活用した商用機能Ｉモード等）に指令を出して、基地局側等の指令を受けた警備員が迅速且つ合理的な警備が遂行できる（請求項１）に掲載のオートバイもしくは電動式自転車による救援救護活動警備システムである。
【請求項４】
警備契約者等に汎用の携帯電話機（ＧＰＳ「全地球測位システム」を活用した商用機能Ｉモード等）を常時携帯させ、オートバイもしくは電動式自転車を待機中や巡回中等の警備員に配備して、汎用の携帯電話機（ＧＰＳ「全地球測位システム」を活用した商用機能Ｉモード等）を常時携帯させ、警備契約者等のタイムスケジュールを作成し登録して、両者間に於いての連絡が交信でき、警備員が迅速且つ合理的な警備が遂行できるオートバイもしくは電動式自転車による救援救護活動警備システムである。
【請求項５】
オートバイもしくは電動式自転車の後部に警備契約者等が改良車椅子（シート部分にポリエチレン・テレフタレート樹脂やポリプロピレン等の樹脂を使用した軽量且つ安全左右交差ベルト着用車輪脱着型等）に乗ったままの状態で連結でき、移動できるようにした（請求項１）に掲載のオートバイもしくは電動式自転車による救援救護活動警備システムである。
【発明の詳細な説明】
【０００１】
【発明の属する技術分野】
本発明は、オートバイもしくは電動式自転車を待機中や巡回中等の警備員に配備して、警備契約者等からの緊急通報依頼により基地局側等である場所からの指令を受けたり、汎用の携帯電話機（Ｇ−ＰＳ「全地球測位システム」を活用した商用機能Ｉモード等）を活用して、警備員が契約者等の住宅もしくは外出先等にいち早く到着でき、非常事態の対応を警備員が迅速且つ合理的に遂行でき、後部に警備契約者等が改良車椅子（シート部分にポリエチレン・テレフタレート樹脂やポリプロピレン等の樹脂を使用した軽量且つ安全左右交差ベルト着用車輪脱着型等）に乗ったままの状態で連結でき、移動できるオートバイもしくは電動式自転車による救援救護活動警備システムに関するものである。
【０００２】
【従来の技術】
従来、警備システムの大半が建物や住宅に対して機械や配線等によるセンサーが主体で、取付け設置費用が高額な上警備上の諸経費がかかり過ぎの経緯が見受けられる。しかし、この警備システムに変えることにより機械や配線等の取付け設置費用が発生しない上、警備上の諸経費もかなり削減できる。今までは、自動車や自転車を活用した巡回が大半を占めている。自動車による巡回は諸経費が高額で、自転車による巡回は諸経費が押さえられるものの現場急行に時間がかかり過ぎるため、少額料金で済む等、何らかの技術的補助手段が求められていた。従来はこのような迅速且つ合理的に目的達成を助ける有効な警備手段が準備されていなかった。
【０００３】
【発明が解決しようとする課題】
本発明の課題は、オートバイもしくは電動式自転車を使用することによる迅速且つ合理的で、少額料金で済むような対策を助ける警備手段を提供することである。
【０００４】
【課題が解決しようとする手段】
上記の課題は、オートバイもしくは電動式自転車を待機中や巡回中等の警備員に配備して、カーナビゲーションシステムを搭載して警備員が契約者の住宅もしくは外出先等にいち早く到着できるようにして、汎用の携帯電話機（ＧＰＳ「全地球測位システム」を活用した商用機能Ｉモード等）を携帯させたり、警備契約者等のタイムスケジュールを作成し登録して、両者間に於いての連絡が交信できるようにして、基地局側等である場所に警備契約者等からの緊急通報依頼が入ることにより、警備員が迅速且つ合理的に警備が遂行することができ、後部に警備契約者等が改良車椅子（シート部分にポリエチレン・テレフタレート樹脂やポリプロピレン等の樹脂を使用した軽量且つ安全左右交差ベルト着用車輪脱着型等）に乗ったままの状態で連結でき、移動できるオートバイもしくは電動式自転車による救援救護活動警備システムにより達成できる。
【０００５】
オートバイもしくは電動式自転車に搭載するカーナビゲーションシステムは取り外しが簡単で、インターネットやメールも使え携帯電話機（ＧＰＳ「全地球測位システム」を活用した商用機能Ｉモード等）が接続でき、基地局側等である場所に警備契約者等からの緊急通報依頼が入ることにより、基地局側等の指令をカーナビの画面上に取り入れでき、カーナビの機能により警備員が契約者等の住宅もしくは外出先等にいち早く到着できるようにした。
【０００６】
オートバイもしくは電動式自転車を待機中や巡回中等の警備員に配備して、汎用の携帯電話機（ＧＰＳ「全地球測位システム」を活用した商用機能Ｉモード等）を携帯させ、基地局側等の指令を常時メール等で受け取れるため基地局側等である場所に警備契約者等からの緊急通報依頼が入ることにより、基地局側等の指令を受けた警備員が迅速且つ合理的な警備が遂行できるようにした。
【０００７】
警備契約者等に汎用の携帯電話機（ＧＰＳ「全地球測位システム」を活用した商用機能Ｉモード等）を常時携帯させ、待機中や巡回中等の警備員の汎用の携帯電話機（ＧＰＳ「全地球測位システム」を活用した商用機能Ｉモード等）に、警備契約者等のタイムスケジュールを作成し登録して常時携帯させ両者間に於いての連絡が交信でき、警備員が迅速且つ合理的に警備を遂行できるようにした。
【０００８】
カーナビ機能と汎用の携帯電話機（ＧＰＳ「全地球測位システム」を活用した商用機能Ｉモード等）のタウンページ等の商用機能を活用して目的地までの道案内地図と音声による道案内等を基に、契約者等に対して基地局側等の指令を受けた警備員が迅速且つ合理的な警備が遂行できるようにした。
【０００９】
オートバイもしくは電動式自転車の後部に連結できる改良車椅子は、警備契約者等が左右に振り落とされないようにパケットタイプ（腰掛部分が深く極力身体にフィツトした軽量且つ安全設計）に仕上げたシートの座り心地はポリエチレン・テレフタレート樹脂やポリプロピレン等の樹脂を使用したリサイクル可能で、安全性は身体の中央部で交差する左右交差ベルトを着用するようにした。
【００１０】
オートバイもしくは電動式自転車の後部に連結できる改良車椅子は、連結部分がワンタッチ操作（連結部分が折り返し式のペタルで左右に設置され、警備契約者が両足を常時乗せておく）にした。
【００１１】
改良車椅子の車輪部分は、車軸が通常より外部に突き出していてその部分が折り返し式になり、車輪部分の付け替えは車軸に車輪部分の中央の穴に車軸を通し、車軸が通常より外部に突き出していてその部分を折り返して固定されていて脱着を簡単にした。
【００１２】
オートバイもしくは電動式自転車の後部に警備契約者等が改良車椅子（シート部分にポリエチレン・テレフタレート樹脂やポリプロピレン等の樹脂を使用した軽量且つ安全左右交差ベルト着用車輪脱着型等）に乗ったままの状態で連結でき、移動できるようにした。
【００１３】
【実施例】
以下に、本発明のオートバイもしくは電動式自転車による救援救護活動警備システムの一実施例を挙げる。図１はオートバイもしくは電動式自転車による救援救護活動警備システムの全体構成を示す概念図である。従って、オートバイもしくは電動式自転車にカーナビゲーションシステムを搭載して待機中や巡回中等の警備員と基地局側等である場所と警備契約者等と改良車椅子（シート部分にポリエチレン・テレフタレート樹脂やポリプロピレン等の樹脂を使用した軽量且つ安全左右交差ベルト着用車輪脱着型等）と携帯電話機（ＧＰＳ「全地球測位システム」を活用した商用機能Ｉモード等）からなる。
【００１４】
使用するオートバイは、一人用と二人用とあり一人用は５０ＣＣから２５０ＣＣ程度のもの、二人用は警備契約者等と改良車椅子（シート部分にポリエチレン・テレフタレート樹脂やポリプロピレン等の樹脂を使用した軽量且つ安全左右交差ベルト着用車輪脱着型等）に乗ったままの状態で連結移動するため、２５０ＣＣからのものを使用する。
【００１５】
電動式自転車は、中央部に電池格納庫があり電池の力で稼働する。待機中や巡回中等の警備員により警備契約者等の住宅を中心に巡回訪問することが主な役割で、警備契約者等の地域密着型の近距離使用で、基地局側等である場所に警備契約者等からの緊急通報依頼が入り基地局側等の指令を警備員が受けた時点より５分前後で到着できるようにした。
【００１６】
オートバイもしくは電動式自転車に搭載のカーナビゲーションシステムは、汎用の取り外しが簡単で携帯電話機（ＧＰＳ「全地球測位システム」を活用した商用機能Ｉモード等）が必要に応じて接続使用できる。
【００１７】
オートバイもしくは電動式自転車にカーナビゲーションシステムを搭載することで、待機中や巡回中等の警備員がカーナビ機能を活用して、警備契約者等の住宅もしくは外出先等にいち早く到着でき、非常事態の対応を迅速且つ合理的に遂行できる。
【００１８】
基地局側等である場所に警備契約者等からの緊急通報依頼が入ることにより、基地局側等の指令を受けた待機中や巡回中等の警備員はオートバイもしくは電動式自転車を使用して警備契約者等に対して、非常事態の対応を迅速且つ合理的な警備を提供できる。
【００１９】
警備契約者等は、汎用の携帯電話機（ＧＰＳ「全地球測位システム」を活用した商用機能Ｉモード等）を常時携帯して簡単操作による基地局側等である場所に緊急通報依頼がいち早くできる。
【００２０】
警備契約者等の常時携帯している汎用の携帯電話機（ＧＰＳ「全地球測位システム」を活用した商用機能Ｉモード等）は、待機中や巡回中等の警備員が常時携帯する汎用の携帯電話機（ＧＰＳ「全地球測位システム」を活用した商用機能Ｉモード等）とは、両者間に於いての連絡が交信でき、警備員が迅速且つ合理的に警備が遂行できる。
【００２１】
待機中や巡回中等の警備員が常時携帯する汎用の携帯電話機（ＧＰＳ「全地球測位システム」を活用した商用機能Ｉモード等）には警備契約者等のタイムスケジュールを作成し登録してあるため、非常事態の対応は迅速且つ合理的に遂行できる。
【００２２】
オートバイもしくは電動式自転車の後部に警備契約者等が改良車椅子（シート部分にポリエチレン・テレフタレート樹脂やポリプロピレン等の樹脂を使用した軽量且つ安全左右交差ベルト着用車輪脱着型等）に乗ったままの状態で連結でき、移動できる。
【００２３】
オートバイもしくは電動式自転車の後部に連結できる警備契約者等の改良車椅子（シート部分にポリエチレン・テレフタレート樹脂やポリプロピレン等の樹脂を使用した軽量且つ安全左右交差ベルト着用車輪脱着型等）は、オートバイもしくは電動式自転車が走行中に安全を確保するための安全左右交差ベルト（後部の警備契約者等の身体の中央部分で交差して身体が左右に動かないように固定できる）を使用する。
【００２４】
オートバイもしくは電動式自転車の後部に連結できる警備契約者等の改良車椅子（シート部分にポリエチレン・テレフタレート樹脂やポリプロピレン等の樹脂を使用した軽量且つ安全左右交差ベルト着用車輪脱着型等）は、オートバイもしくは電動式自転車が走行中に左右に動かないように車輪脱着型（改良車椅子の車輪部分が脱着のワンタッチ操作で外せる工夫がされた等）で、オートバイもしくは電動式自転車の車輪部分と改良車椅子の車輪部分が双方の車軸部分を通して脱着のワンタッチ操作で一体型になり走行できる。
【００２５】
【発明の効果】
オートバイもしくは電動式自転車にカーナビゲーションシステムを搭載して待機中や巡回中等の警備員に配備して、汎用の携帯電話機（ＧＰＳ「全地球測位システム」を活用した商用機能Ｉモード等）に警備契約者等のタイムスケジュールを作成し登録して、お互いが常時携帯して、両者間に於いての連絡が簡単操作で交信できるため、警備員が契約者の住宅もしくは外出先等にいち早く到着でき警備員が迅速且つ合理的に警備が遂行でき、基地局側等である場所に警備契約者等からの緊急通報依頼が入ると、基地局側等が警備員に携帯させた汎用の携帯電話機（ＧＰＳ「全地球測位システム」を活用した商用機能Ｉモード等）に指令を出し、基地局側等の指令が受け取れる。又、後部に連結できる警備契約者等の改良車椅子（シート部分にポリエチレン・テレフタレート樹脂やポリプロピレン等の樹脂を使用した軽量且つ安全左右交差ベルト着用車輪脱着型等）は、オートバイもしくは電動式自転車が走行中に左右に動かないように車輪脱着型（車椅子の車輪部分が脱着のワンタッチ操作で外せる工夫がされた等）で、オートバイもしくは電動式自転車とは一体型走行でき、振り落とされない等の対策がされ、警備契約者等に警備員が迅速且つ合理的に警備をオートバイもしくは電動式自転車による救援救護活動警備システムにより必要とする役務を提供することができる。
【００２６】
【図面の簡単な説明】
【図１】本システムの全体構成を示す概念図である。
【符号の説明】
１．警備員が常時携帯する携帯電話機
２．警備契約者等が常時携帯する携帯電話機
３．警備員に配備したオートバイもしくは電動式自転車と搭載するカーナビゲーションシステム
４．改良車椅子
５．基地局側等である場所
６．警備員が常時携帯する携帯電話機を接続する場合
７．改良車椅子を連結する場合
８．両者間に於いての連絡が簡単操作で交信する場合
９．警備員が基地局側等の指令を受け取る場合
１０．警備契約者等からの緊急通報依頼が入る場合
【図１】
2004038916.tif 000003